(57)【特許請求の範囲】
【請求項１】
端末機器が接続され防災に関する監視を行う受信機を備えた火災警報システムの表示システムにおいて、
複数の画像データを記憶する画像データ記憶手段と、
該画像データ記憶手段の画像データを映像信号に変換して出力する映像信号出力手段とを備え、
前記画像データ記憶手段および映像信号出力手段としてデジタルカメラを用い、
前記受信機の制御により、前記画像データ記憶手段から画像データが選択されると共に、該画像データが映像信号に変換されて出力されることを特徴とする火災警報システムの表示システム。
【請求項２】
前記画像データ記憶手段には、監視区域を表わす複数の画像データが記憶される一方、
前記受信機は、端末機器の作動に基づき該作動のあった監視区域の画像データを選択することを特徴とする請求項１記載の火災警報システムの表示システム。
【請求項３】
前記画像データ記憶手段には、火災警報システムの状態を表わす画像データが記憶される一方、
前記受信機は、火災警報システムが所定の状態にあることに基づき該状態に係る画像データを選択することを特徴とする請求項１又は２記載の火災警報システムの表示システム。
【請求項４】
前記受信機には、監視制御を統括して制御する中央演算処理手段が設けられており、
該中央演算処理手段が、前記複数の画像データのうちのどの画像データかを示す画像指示信号を出力することで、画像データの選択が行なわれることを特徴とする請求項１〜３の何れかに記載の火災警報システムの表示システム。
【請求項５】
前記画像データ記憶手段は着脱可能な記憶媒体を備え、該記憶媒体に前記画像データが記憶されていることを特徴とする請求項１〜４の何れかに記載の火災警報システムの表示システム。
【請求項６】
前記映像信号出力手段は、映像信号をテレビジョン信号として出力するビデオ出力端子を備えていることを特徴とする請求項１〜５の何れかに記載の火災警報システムの表示システム。
【請求項７】
前記画像データ記憶手段および映像信号出力手段が、前記受信機と別体に設けられていることを特徴とする請求項１〜６の何れかに記載の火災警報システムの表示システム。
【請求項８】
前記画像データ記憶手段および映像信号出力手段が、前記受信機のハウジング内に設けられていることを特徴とする請求項１〜６の何れかに記載の火災警報システムの表示システム。
【請求項９】
端末機器が接続され防災に関する監視を行う火災警報システムの受信機であって、
所定の画像データ記憶手段に記憶された複数の画像データのうちどの画像データを選択するかを示す画像指示信号を出力する画像指示信号出力手段が設けられ、
前記画像データ記憶手段および映像信号出力手段としてデジタルカメラを用いていることを特徴とする火災警報システムの受信機。
【発明の詳細な説明】
【０００１】
【発明の属する技術分野】
本発明は、端末機器が接続され防災に関する監視を行う受信機を備えた火災警報システムにおいて、火災監視に関して表示を行う火災警報システムの表示システムおよび受信機に関する。
【０００２】
【従来の技術】
近年、火災警報システムの分野において、ＣＲＴ（陰極線管）や液晶ディスプレー等の表示装置を用いて、火災監視に関する情報をさまざまな明度と色とを用いて視覚的に分り易く表示する表示システムが開発されている。以後、この火災監視に関する情報の表示を火災表示と呼ぶ。
従来の表示システムを、図８に基づいて説明する。従来の表示システムは、火災受信機８１に接続される表示装置本体（汎用コンピュータやパーソナルコンピュータなど）９０と、ＣＲＴ（陰極線管）や液晶ディスプレー等の表示装置１００とから構成される。
【０００３】
表示装置本体９０は、各種制御を行うＣＰＵ９１と、各端末機器８２…，８３…，８４…の回線（またはアドレス）と監視区域の平面図データの対応関係が記憶されている参照テーブル９６と、受信機８１から送信される第２報目以降の移報データを記憶する履歴記憶部９４と、各端末機器８２…，８３…，８４…のシンボルとこれら各端末機器８２…，８３…，８４…の平面図上の接続位置とを記憶するシンボルデータ記憶部９７と、監視区域の平面図データが記憶されている平面図データ記憶部９８と、移報データ入力用の移報入力Ｉ／Ｆ（Ｉｎｔｅｒｆａｃｅ）９５と、表示装置１００に映像信号を出力する表示用Ｉ／Ｆ９９と、ワークエリアとして使用されるＲＡＭ（Ｒａｎｄｏｍ  Ａｃｃｅｓｓ  Ｍｅｍｏｒｙ）９３や制御データや制御プログラムが記憶されたＲＯＭ（Ｒｅａｄ  Ｏｎｌｙ  Ｍｅｍｏｒｙ）９２等から構成される。
上記表示用Ｉ／Ｆ９９には表示装置１００が、移報入力Ｉ／Ｆ９５には受信機８１の移報出力Ｉ／Ｆ８５が、それぞれ接続される。また、受信機８１には端末機器８２…，８３…，８４…を接続した火災感知器回線や防排煙機器回線が接続される。
【０００４】
上記の表示システムによる表示方法は次のごとくである。即ち、まず火災感知器回線から火災発報があると、火災受信機８１が移報出力Ｉ／Ｆ８５を介して表示装置本体９０の移報入力Ｉ／Ｆ９５に火災信号を移報する。この信号によってＣＰＵ９１はまず参照テーブル９６を参照して表示装置１００に表示すべき平面図データを検索し、平面図データ記憶部９８から該当する平面図データを選択する。
次に、その平面図上のどの位置にどの端末機器が配置されているのかをシンボルデータ記憶部９７から検索し、それぞれ選択された平面図データ及びシンボルデータをＲＡＭ９３に記憶する。このＲＡＭ９３に記憶された内容を表示装置１００に表示出力させることで、発報があった端末機器の状態がわかるようになっている。
また、特開平４−４９４９５号に示すような平面図データの代わりに実写画像を使用する方法、または特開平５−２７４５７３号に示すようなビデオカメラによって現場の映像をモニタ表示する方法などもある。
【０００５】
【発明が解決しようとする課題】
しかしながら、上記従来の火災警報システムの表示システムでは、受信機から表示装置本体に移報データ（発報地区や発報内容が含まれるデータ）が出力され、表示装置本体が画像データを選択するという制御方法であるため、表示画面を作成するまでの表示装置本体の内部処理が複雑となり、表示装置本体に高度な機能が要求される。そのため、表示装置本体に例えば汎用コンピュータやパーソナルコンピュータなどを使用することとなり、システム全体の原価コストを高騰させてしまう。
また、火災監視に関する情報を表示する表示装置として、専用の表示装置を必要とするため、さらにシステム全体の原価コストを上昇させてしまう。
【０００６】
また、上記従来の火災警報システムの表示システムにおいては、フロアの平面図データや端末機器の配置データ等が、表示装置本体で実行される火災表示用のプログラムデータに組み込まれており、平面図データや端末機器の配置データの作成又は変更を簡単に行うことは出来なかった。即ち、平面図データや端末機器の配置データを作成又は変更するには、専門のエンジニアに任せるしかなかった。
その上、平面図や端末機器の配置は、建物毎、フロア毎に異なり、建物毎、フロア毎に平面図及び端末機器の位置データを作成する必要があるため、データの作成作業が膨大となり、この点でもシステム全体のコストの高騰を招く要因となっていた。
更に、テナントなどに火災警報システムが設置される場合では、テナントのフロアの仕切りが変更されることが多いため、この変更に伴いその都度平面図データを修正する必要があるが、上述のとおり、これらのデータの変更は簡単には行えないので、この変更作業に大変な時間と労力を必要とする。
【０００７】
この発明は、上記実状に鑑みてなされたもので、火災監視に関する情報を様々な明度と色とを用いて分りやすく表示させる警報システムの表示システムおよび受信機において、該表示システムを低いコストで実現可能とし、更に、画像データ等の作成および変更を容易に行えるようにすることを目的としている。
【０００８】
【課題を解決するための手段】
上記課題を解決するため、請求項１記載の発明は、端末機器が接続され防災に関する監視を行う受信機を備えた火災警報システムの表示システムにおいて、複数の画像データを記憶する画像データ記憶手段と、該画像データ記憶手段の画像データを映像信号に変換して出力する映像信号出力手段とを備え、前記画像データ記憶手段および映像信号出力手段としてデジタルカメラを用い、前記受信機の制御により、前記画像データ記憶手段から画像データが選択されると共に、該画像データが映像信号に変換されて出力される構成とした。
【０００９】
この請求項１記載の発明によれば、画像データ記憶手段に記憶された画像データが映像信号に変換されて出力されることで、例えば火災監視に関する情報や火災警報システムの情報をさまざまな明度と色とを用いて視覚的に分り易く表示することが出来る。それに加えて、画像データが受信機の制御によってダイレクトに選択される構成なので、従来必要とされていた表示装置本体の機能（受信機から移報データを受信し移報データに基づき画像データを選択する機能）が不要となる。すなわち、原価コストを大幅に高騰させていた高機能な表示装置本体が不要となり、その分、原価コストを大幅に削減することが出来る。
また、画像データは、火災表示を行うための制御プログラムと独立した状態で、画像データ記憶手段に記憶される。したがって、画像データ記憶手段に記憶される画像データの作成、挿入又は変更を、画像データのみ独立的に取り扱って行うことが出来る。それゆえ、建物毎、フロア毎に異なる画像データの作成やレイアウトの変更に伴う画像データの変更を、専門のエンジニアに頼ることなく簡単に行うことが出来る。更に、ユーザーレベルでの画像データの作成および変更も可能である。
【００１０】
なお、画像データには、実写画像データ、グラフィック画像データ、文字画像データ、画像に文字をスーパーインポーズした画像データなどが含まれる。また、画像データの形式は、ビットマップ、ＧＩＦ（Ｇｒａｐｈｉｃ  Ｉｎｔｅｒｃｈａｎｇｅ  Ｆｏｒｍａｔ）、ＪＰＥＧ（Ｊｏｉｎｔ  Ｐｈｏｔｏｇｒａｐｈ  Ｅｘｐｅｒｔｓ  Ｇｒｏｕｐ）、ＴＩＦＦ（Ｔａｇｇｅｄ  Ｉｍａｇｅ  Ｆｉｌｅ  Ｆｏｒｍａｔ）など、様々な形式を用いることが出来る。上記映像信号としては、アナログのテレビジョン信号を用いることで、一般のテレビジョンに映像出力を行なわせることが出来る。その他、上記映像信号として、デジタルのテレビジョン信号、コンピュータの表示などに用いられるアナログ又はデジタルのＲＧＢ信号などさまざまな映像信号を用いても良い。
【００１１】
ここで、請求項２記載の発明のように、請求項１記載の火災警報システムの表示システムにおいて、前記画像データ記憶手段に監視区域を表わす複数の画像データが記憶される一方、前記受信機が、端末機器の作動に基づき該作動のあった監視区域の画像データを選択する構成とすることで、火災監視の状況に応じた適確な画像表示を行なわせることが出来る。
なお、端末機器の作動とは、感知器や検知器が異常を感知したことによる発報、発信機の作動、防排煙機器や消火機器の作動、地区ベルや報知機器の作動など、色々な端末機器の様々な作動が含まれる。監視区域を表わす画像は、監視区域の実写像、フロア図などのグラフィック画像図、文字画像、グラフィックや実写像に文字をスーパーインポーズした画像などが含まれる。
【００１２】
請求項３記載の発明は、請求項１又は２記載の火災警報システムの表示システムにおいて、前記画像データ記憶手段に、火災警報システムの状態を表わす画像データが記憶される一方、前記受信機が、火災警報システムが所定の状態にあることに基づき該状態に係る画像データを選択する構成とした。
この請求項３記載の発明によれば、火災警報システムの状態（例えば、監視中、保守点検中、異常や故障の発生等）を画像表示によってオペレータに知らせることが出来る。それにより、オペレータがシステムの状態を認識間違えすることを防止できる。例えば、防排煙機器の連動や地区音響の鳴動が停止されている保守点検の状態にしたまま、監視中であると誤認してしまうことが防止される。
なお、火災警報システムの状態とは、監視中、保守点検中、異常や故障の発生、警報の発生、誤警報の発生、システムの機能を決定する種々の設定状態など、様々な状態が含まれる。
【００１３】
請求項４記載の発明は、請求項１〜３の何れかに記載の火災警報システムの表示システムにおいて、
前記受信機に、監視制御を統括して制御する中央演算処理手段が設けられており、
該中央演算処理手段が、前記複数の画像データのうちのどの画像データかを示す画像指示信号を出力することで、画像データの選択が行なわれる構成とした。
【００１４】
この請求項４記載の発明によれば、受信機の中央演算処理手段から画像指示信号が出力され、この画像指示信号に基づき画像データを選択するので、画像データの選択から映像信号の出力までを単純な処理とすることができる。即ち、従来のように、移報データから該当する監視地区を判別し画像データを作成するといった複雑な処理がない。そのため、画像表示を行うための構成（映像信号出力手段や画像データ記憶手段、並びに、これら映像信号出力手段や画像データ記憶手段の制御手段）を廉価に構成できる。
【００１５】
ここで、画像指示信号とは、例えば、複数の画像データの各々に対応づけられたラベルデータ信号やナンバーデータ信号など、画像データ記憶手段のどの画像データかを指示できる信号であればよく、単純で小容量のデータ信号として構成可能である。
【００１６】
請求項５記載の発明は、請求項１〜４の何れかに記載の火災警報システムの表示システムにおいて、前記画像データ記憶手段は着脱可能な記憶媒体を備え、該記憶媒体に前記画像データが記憶される構成とした。
この請求項５記載の発明によれば、記憶媒体を交換することで、火災監視で画像表示される画像を容易に変更することが出来る。したがって、例えばフロアのレイアウトを変更する際に、これらレイアウトの変更に伴う画像データの変更も即座に対応することができる。また、受信機や画像表示を長く停止させることなく、すばやく画像データを変更することが出来る。
また、記憶媒体により画像データのバックアップを容易に作成することが出来る。
【００１７】
請求項６記載の発明は、請求項１〜５の何れかに記載の火災警報システムの表示システムにおいて、
前記映像信号出力手段が、映像信号をテレビジョン信号として出力するビデオ出力端子を備えている構成とした。
この請求項６記載の発明によれば、火災監視に関する情報が表示される表示装置として、ビデオ入力端子を有する一般のテレビ受像機を使用することが出来る。したがって、火災表示のために専用の表示装置を設ける必要がなくなり、その分、コストを低減させることが出来る。
【００１８】
なお請求項１記載の発明によれば、汎用のデジタルカメラを画像データのサーバーおよび映像信号出力手段として利用するので、画像データの作成、挿入又は変更、並びに、画像データの出力処理を既存の方法を用いて行うことが出来る。それゆえ、開発コストの削減が図れると共に、画像データの作成、挿入、並べ換え又は変更をユーザーレベルで行うことも容易となる。また、デジタルカメラの撮像機能を利用することで、監視区域の表示画像を直接撮像し、画像データの再加工を経て火災表示に利用することも出来る。
【００１９】
ここで、請求項７記載の発明のように、請求項１〜６の何れかに記載の火災警報システムの表示システムにおいて、前記画像データ記憶手段および映像信号出力手段が、前記受信機と別体に設けられている構成としても良く、別体とすることで画像データの操作や表示装置との接続を行い易くすることができる。また、請求項８記載の発明のように、請求項１〜６の何れかに記載の火災警報システムの表示システムにおいて、前記画像データ記憶手段および映像信号出力手段が、前記受信機のハウジング内に設けられている構成としても良く、このような構成とすることで、システムをまとまり良く設置することが出来る。また、画像データ記憶手段や映像信号出力手段を紛失してしまうこともない。
【００２０】
請求項９記載の発明は、端末機器が接続され防災に関する監視を行う受信機を備えた火災警報システムの表示システムにおいて、前記受信機には、所定の画像データ記憶手段に記憶された複数の画像データのうちのどの画像データを選択するかを示す画像指示信号を出力する画像指示信号出力手段が設けられ、前記画像データ記憶手段および映像信号出力手段としてデジタルカメラを用いている構成とした。この請求項９記載の発明によれば、このような受信機に、上述の画像データ記憶手段および映像信号出力手段を備えたデジタルカメラを接続し、更にこの機器にテレビ受像機などの表示装置を接続することで、請求項１〜８に記載の表示システムを実現することが出来る。ここで、上記画像指示信号とは、請求項４記載の発明の説明の箇所で述べた画像指示信号と同様のものである。
【００２１】
【発明の実施の形態】
以下、この発明の実施の形態について、図１〜図７の図面を参照しながら説明する。
［第１の実施の形態］
図１は、本発明の第１の実施の形態の火災警報システムの表示システムの構成を示すブロック図である。
この実施の形態の火災警報システムは、火災受信機１、端末機器（感知器３…，４…および防排煙機器５…等）、火災受信機１と端末機器を接続する回線Ｌ１〜Ｌ３等から構成される。更に、この火災警報システムには、火災表示を行う表示システムとして、テレビ受像機などの表示装置８、火災受信機１内に設けられたＭＣインターフェース１７、メモリカード１８、Ｄ／Ａ変換器２２、ビデオＩ／Ｆ２３等が設けられている。
【００２２】
火災受信機１は、火災監視や火災表示の各種制御を行うＣＰＵ（Ｃｅｎｔｒａｌ  Ｐｒｏｃｅｓｓｉｎｇ  Ｕｎｉｔ  ）１１、火災監視や火災表示の制御プログラムや制御データ等が記憶されているＲＯＭ（Ｒｅａｄ  Ｏｎｌｙ  Ｍｅｍｏｒｙ）１２、ワークエリアとして使用されるＲＡＭ（Ｒａｎｄｏｍ  Ａｃｃｅｓｓ  Ｍｅｍｏｒｙ）１３、音響による警報を行う主音響部１４、火災発報などに対応して火災受信機１に設けられたＬＥＤなどの点灯により警報を表示する表示部１５、各種の操作スイッチからなる操作部１６、画像データが記憶されている着脱自在なメモリカード（記憶媒体）１８、メモリカード１８を接続するためのＭＣ（メモリカード）インターフェース１７、感知器３…，４…や防排煙機器５…を接続した回線Ｌ１〜Ｌ３が接続されるインターフェース１９〜２１、画像データをＤ／Ａ変換しテレビジョン信号として表示装置８に出力するＤ／Ａ変換器（映像信号出力手段）２２、および、ビデオ出力端子を有するビデオＩ／Ｆ２３等から構成されている。ビデオＩ／Ｆ２８は、一般のビデオ用ケーブルを介してテレビ受像機である表示装置８と接続されている。
【００２３】
メモリカード１８には、あらかじめ回線Ｌ１〜Ｌ３に対応する火災監視区域を撮影した複数の画像データが記憶されている。
また、メモリカード１８には、火災警報システムの状態を表わす複数の画像データ、例えば、ＣＰＵ異常をカバーする火災受信機１のバックアップ機能の発生、諸警報の発生、保守点検状態、回線Ｌ１〜Ｌ３の断線やリークなどの故障発生、火災受信機１の主回路電圧の低下など異常の発生、各種設定スイッチの設定状態などを表わす画像データも記憶されている。
【００２４】
これら複数の画像データには、各画像データを呼び出すためのラベルデータがそれぞれ付加されており、このラベルデータをＣＰＵ１１が指示することで、該当する画像データが呼び出されるようになっている。ラベルデータは、例えば、画像データの通し番号を表わす画像データ番号データなどである。
火災信号の発生した回線Ｌ１〜Ｌ３と呼び出されるラベルデータとの関係は予め定められており、画像データを変更する場合には、回線Ｌ１〜Ｌ３と表示される画像がそれぞれ対応するように、該当するラベルデータの箇所に上記の火災監視区域の画像データを入力する。
また、火災警報システムの所定の状態（例えば保守点検が行なわれている状態や回線異常が発生した状態など）と、ＣＰＵ１１により呼び出されるラベルデータとの関係も予め定められており、該当するラベルデータの箇所に火災警報システムの状態を表わす画像データが入力される。
なお、メモリカード１８は、ＰＣカード、スマートメディアなど各種の形態のものが使用可能であり、また、メモリだけでなく着脱自在な記憶媒体ならどのようなものでも使用可能である。
【００２５】
図２には、この表示システムで表示される監視区域を表わす画像図の一例を示す。同図（ａ）は実写映像を用いた画像の一例、（ｂ）はグラフィックを用いた画像の一例である。
メモリカード１８に記憶させる画像データは、図２（ａ）に示すように、監視区域を撮像した画像に、「火災発生」「現場確認」などの火災監視に関わるメッセージ文字をスーパーインポーズしたり、「１階受付付近」などの監視区域の名称をスーパーインポーズしたりして構成することで、映像により火災発生場所や火災状況をすばやく確実に理解することが可能で効果的である。
また、図２（ｂ）に示すように、監視区域のフロア図を表わすグラフィック画像に火災監視に関わるメッセージ文字や監視区域の名称をスーパーインポーズして構成しても良い。実写画像だけでなく取り扱い可能な形式で作成したフロア図を使用することによって、実写画像では確認しにくい場所の確認が容易となり、両者を併用することによって、更に詳細な火災表示を行うことができる。
なお、上記画像データは、デジタルカメラによる撮像や、パーソナルコンピュータなどによる画像処理などから簡単に作成できる。また、スーパーインポーズについても、デジタルカメラの機能を使用して加えてもよいし、パーソナルコンピュータなどによる画像処理により加えてもよい。
【００２６】
図３には、同表示システムで表示される火災警報システムの状態を表わす画像図の一例を示す。
この画像図は、火災受信機１に設けられた保守スイッチがオン操作（「音響全停止」側に倒す操作）された場合に表示する警告画像であり、火災受信機１の状態を表わす画像であることを示すために火災受信機１の実写画像を含むと共に、保守スイッチがオン操作された状態を示す「保守スイッチ操作中」のメッセージ文字と保守スイッチの実写画像３０、並びに、保守点検終了後に保守スイッチをオフ操作（「定位」側に倒す操作）するように促す「終了後は定位に」の警告メッセージ文字が含まれる。
ところで、火災受信機１には、受信機内部のスイッチの状態や回路電圧を監視する従来公知の自己監視機能が備わっている。自己監視の対象としては、保守スイッチ、感知器回線の断線、回路電圧などがある。
保守スイッチは、保守点検を行う際、感知器の発報毎に音響が鳴動するのを防ぐために音響を完全停止するスイッチである。この保守スイッチは受信機内に設けられ、通常は「定位」の位置に設定されているが、音響を停止する場合には保守側（「音響全停止」側）にセットされる。保守側にセットされた場合、数秒に１回「ピッ、ピッ」と警報音が発生する。そして、点検終了後に、この保守スイッチは「定位」に戻される。しかしながら、この保守スイッチを戻し忘れると、音響が停止したままとなり、本当に火災が発生した場合に、音響が鳴動しないという問題が生じる。
そこで、保守スイッチが保守側にセットされている場合に、上記の警告画像（図３）を表示することで、保守スイッチの戻し忘れを防止できる。
【００２７】
次に、この火災警報システムの表示システムにより行なわれる火災表示方法について説明する。
先ず、感知器３…，４…が接続された回線Ｌ１，Ｌ２で火災発報があると、火災受信機１にインターフェース１９〜２１を介して火災信号が入力される。火災受信機１に火災信号が入力されると、ＣＰＵ１１がこの火災信号がどの回線Ｌ１，Ｌ２から送出されたものかを判断し、該当する回線Ｌ１（Ｌ２）に対応するラベルデータを指示する。そして、このラベルデータに対応する画像データをメモリカード１８から呼び出す。
また、火災警報システムが所定の状態（例えば保守スイッチのオン操作、回線異常など）になると、火災受信機１の自己監視機能によりこの状態が検出され、ＣＰＵ１１によりこの状態に対応するラベルデータが指示される。そして、このラベルデータに対応する画像データをメモリカード１８から呼び出す。
呼び出された画像データはＤ／Ａ変換器２２によりアナログの映像信号に変換され、テレビジョン信号として表示装置８に送信されることによって表示される。
なお、火災発報に基づき画像表示を行う場合、火災発報から画像表示までの時間が５秒以内になるように制御する。更に、発報後１回目の画像表示から所定時間（たとえば１分）経過後に、異なる画像（例えば避難誘導などのガイダンス画像）を表示することも可能である。ガイダンス画像により、落ち着いた火災対処を促すことが出来る。
【００２８】
以上のように、この実施の形態の火災警報システムの表示システムによれば、端末機器が接続された火災受信機１の内部に、画像データを記憶する着脱可能なメモリカード１８と、画像データを映像信号に変換して外部の表示装置８に出力する映像信号出力手段（Ｄ／Ａ変換器２２、ビデオＩ／Ｆ２３）とを備えているので、火災表示を行う上で従来必要であった高機能の表示装置本体を不要とすることが出来る。それゆえ、システムの原価コストを大幅に削減することが出来る。
また、映像信号をビデオ出力端子からテレビジョン信号として出力するので、表示装置として一般的なテレビ受像機を使用することが出来る。したがって、専用の表示装置を設ける必要がなくなり、その分、低コストでシステムを構築できる。また、表示装置８がテレビ受像機なので、火災発報やシステムの状態変化があったときだけ火災表示を行なわせ、普段は通常のテレビとして使用することもできる。
【００２９】
また、画像データは、火災表示を行うための制御プログラムと独立して、メモリカード１８に記憶されるので、画像データの作成、挿入又は変更を、画像データのみ独立的に取り扱って行うことが出来る。それゆえ、建物毎、フロア毎に異なる多数の画像データの作成やレイアウトの変更に伴う画像データの変更を、専門のエンジニアに頼ることなく簡単に行うことが出来る。更に、ユーザーレベルで行うことも可能である。
また、メモリカード１８は着脱可能なので、画像データの変更をより簡単に行うことができると共に、火災受信機１の火災監視処理や表示装置８の火災表示を長く停止させることなく、すばやく画像データを変更することが出来る。
【００３０】
［第２の実施の形態］
図４は、本発明の第２の実施の形態の火災警報システムの受信機の構成を示すブロック図、図５は、第２の実施の形態の火災警報システムの表示システムの全体構成を示すブロック図である。なお、第１の実施の形態と同様の構成は同符合を付してある。
この実施の形態の火災警報システムは、火災受信機４０、端末機器（感知器３…，４…および防排煙機器５…等）、火災受信機４０と端末機器を接続する回線Ｌ１〜Ｌ３等から構成される。更に、この火災警報システムには、火災表示を行う表示システムとして、画像データ記憶手段および映像信号出力手段として機能するデジタルカメラ６０、テレビ受像機などの表示装置８、火災受信機４０にデジタルカメラ６０を接続するためのシリアルＩ／Ｆ（画像指示信号出力手段）４４などが設けられている。
【００３１】
火災受信機４０は、火災監視や火災表示の各種制御を行うＣＰＵ（Ｃｅｎｔｒａｌ  Ｐｒｏｃｅｓｓｉｎｇ  Ｕｎｉｔ  ）４１、火災監視や火災表示の制御プログラムや制御データ等が記憶されているＲＯＭ（Ｒｅａｄ  Ｏｎｌｙ  Ｍｅｍｏｒｙ）４２、ワークエリアとして使用されるＲＡＭ（Ｒａｎｄｏｍ  Ａｃｃｅｓｓ  Ｍｅｍｏｒｙ）４３、第１の実施の形態と同様の主音響部１４、表示部１５、操作部１６およびインターフェース１９〜２１、並びに、シリアルＩ／Ｆ４４等から構成される。シリアルＩ／Ｆ４４は、デジタルカメラ６０のシリアルＩ／Ｆ６５に接続されている。
【００３２】
デジタルカメラ６０は、ＣＣＤ（Ｃｈａｒｇｅ  Ｃｏｕｐｌｅｄ  Ｄｅｖｉｃｅ）等の撮像部６７、各種操作をインプットするキー入力部６２、プログラムなどが記憶されているＲＯＭ６３、ワークエリアとして使用されるＲＡＭ６４、撮影した画像をデジタルカメラ６０側で表示するための液晶（ＬＣＤ）表示部６６、火災受信機４０からの信号を受け取るシリアルＩ／Ｆ６５、予め撮影された画像データが記憶されている着脱自在なメモリカード６９、このメモリカード６９を接続するＭＣインターフェース６８、画像データをＤ／Ａ変換してビデオ映像として表示装置８に出力するＤ／Ａ変換器７０及びビデオＩ／Ｆ７１等から構成されている。ビデオＩ／Ｆ７１はテレビ受像機である表示装置８と接続されている。
【００３３】
図６は、メモリカード６９中に記憶される画像データとラベルデータとの対応関係を示すデータテーブル、図７は、端末機器の作動があった回線と火災受信機から出力される画像指示信号との対応関係を示すテーブルチャートである。
メモリカード６９には、図６に示すように、あらかじめ火災受信機４０の回線Ｌ１〜Ｌ３…に対応する火災監視区域を撮影した複数の画像データや火災警報システムの状態を表わす複数の画像データ（「画像データ１」〜「画像データ２０」…）が記憶されている。また、これら複数の画像データには、各画像データを呼び出すためのラベルデータ（例えば画像データ番号「ナンバー１」〜「ナンバー２０」…）がそれぞれ付けられている。画像データは、デジタルカメラ６０で撮像した実写画像の他、コンピュータ等で作成した色々な形式（ビットマップ、ＪＰＥＧ、ＧＩＦ、ＴＩＦＦなど）の画像データを記憶させることが出来る。
一方、火災受信機４０のＲＯＭ６３中には、図７に示すように、端末機器の作動があった回線Ｌ１〜Ｌ３…と、作動直後に火災受信機４０から出力する第１画像指示信号と、発報後１回目の画像表示から所定時間（たとえば１分）経過後に出力される第２画像指示信号との内容を対応付けたデータテーブルが記憶されている。
同様に、上記ＲＯＭ６３中には、火災受信機４０の所定の状態（例えば、保守点検スイッチのオン操作や、回線異常の発生など）と、所定の状態になった場合に火災受信機４０から出力される第１画像指示信号と、システムの状態変更による１回目の画像表示から所定時間（たとえば１分）経過後に出力される第２画像指示信号との内容を対応付けたデータテーブルが記憶されている。なお、火災警報システムの状態に関する表示では、１回目の画像表示と２回目の画像表示が同じ内容なので、第１画像指示信号と第２画像指示信号は同じものになっている。なお、上記回線および火災警報システムの状態と、画像指示信号との対応関係は、固定的としたり操作部１６の操作により変更可能としても良い。
【００３４】
次に、この火災警報システムの表示システムにより行なわれる火災表示方法について説明する。
まず火災感知器３…，４…が接続された回線Ｌ１，Ｌ２…から火災発報があると、火災受信機４０にインターフェース１９，２０…を介して火災信号が入力される。火災受信機４０のＣＰＵ４１は火災信号が入力されると、その信号がどの回線Ｌ１，Ｌ２…から送出されたものかを判断し、図７のデータテーブルに従い、該当する回線Ｌ１（Ｌ２…）に対応する第１画像指示信号をシリアルＩ／Ｆ４４を介してデジタルカメラ６０に送信する。
また、火災受信機４０の設定スイッチが操作されたり回線Ｌ１，Ｌ２…の異常が検出されて、火災受信機４０が所定の状態に変更されると、この状態の変更に基づき、ＣＰＵ４１が図７のデータテーブルに従って、変更された状態に対応する第１画像指示信号をデジタルカメラ６０に送信する。
第１画像指示信号を受信したデジタルカメラ６０は、図６のデータテーブルに従い、この画像指示信号が指し示すラベルデータ（画像データ番号）の画像データをメモリカード６９から読み出す。そして、Ｄ／Ａ変換器７０でアナログの映像信号に変換されテレビジョン信号として出力され、表示装置８に表示出力される。なお、火災発報から画像表示までの時間は５秒以内になるように制御される。
【００３５】
発報または火災受信機４０の状態変化による１回目の画像表示から所定時間（たとえば１分）経過すると、次に、火災受信機４０は、図７のデータテーブルに従い火災発報のあった回線Ｌ１（Ｌ２…）または状態変化に対応する第２画像指示信号を、シリアルＩ／Ｆ４４を介してデジタルカメラ６０に送信する。
第２画像指示信号を受信したデジタルカメラ６０は、図６のデータテーブルに従い、この画像指示信号が指し示すラベルデータ（画像データ番号）の画像データをメモリカード６９から読み出し映像信号に変換して出力する。
発報に基づく画像表示の場合、第２画像指示信号に対応する画像データは、例えば、避難誘導などを示すガイダンス画像であり、上記映像信号の出力により火災発報の直後に表示された監視地区の画像がガイダンス画像に切り換えられる。
【００３６】
次いで、画像データの変更方法について説明する。
例えば、フロアの仕切りが変更されたりして画像データを変更するには、先ず新たな画像を撮像したり又はパーソナルコンピュータを用いて描画する。この撮像はデジタルカメラ６０を用いて行うことが出来る。画像に文字を挿入する場合には、作成した画像データを一旦コンピュータに取り込んで文字入力する。また、デジタルカメラに文字入力の機能があればこの機能を用いて文字入力しても良い。
表示出力する画像データが出来あがったら、この画像データと回線Ｌ１〜Ｌ３…とが対応されるように、該当するラベルデータに対応づけてデジタルカメラ６０のメモリカード６９に記憶させる。または、ラベルデータと画像データとの対応関係を変更して、画像データにラベルデータを対応させる。なお、これらデジタルカメラ６０へ画像データを入出力する技術やラベルデータと画像データとの対応関係を変更する技術は、例えば特開平９−３０７８４３号のデジタルカメラの技術として開示されているように周知のものである。
【００３７】
以上のように、この実施の形態の火災警報システムの表示システムによれば、火災発報があった場合や火災警報システムの状態変化があった場合に、火災受信機４０から画像データを直接選択するための画像指示信号が出力されるので、従来、火災表示を行う上で必要であった高機能の表示装置本体を不要とすることが出来る。それゆえ、システム全体の原価コストを大幅に削減することが出来る。また、デジタルカメラ６０により火災表示の画像がテレビジョン信号として出力されて表示されるので、表示装置として一般的なテレビ受像機を使用することが出来る。したがって、専用の表示装置を設ける必要がなくなり、その分、低コストでシステムを構築できる。また、表示装置８がテレビ受像機なので、火災発報があったときだけ火災表示を行なわせ、普段は通常のテレビとして使用することもできる。
【００３８】
また、画像データは、火災表示を行うための制御プログラムと独立して、デジタルカメラ６０のメモリカード６９に記憶されるので、画像データの作成、挿入又は変更を、画像データのみ独立的に取り扱って行うことが出来る。更に、画像データのサーバとして汎用のデジタルカメラを用いているので、画像データの挿入や変更を既存の方法を用いて行うことが出来る。
したがって、建物毎、フロア毎に異なる多数の画像データの作成やレイアウトの変更に伴う画像データの変更を、専門のエンジニアに頼ることなく簡単に行うことが出来る。更に、ユーザーレベルで行うことも可能である。また、メモリカード６９は着脱可能なので、画像データの変更をより簡単によりすばやく行うことが出来るし、デジタルカメラの撮像機能を利用することで、監視区域の表示画像を直接撮像して火災表示に利用することも出来る。
また、火災表示の画像を実写映像のみとすれば、監視地区をデジタルカメラで撮像するだけで画像データの作成や変更が行え、画像データの作成や変更にかかる時間と労力を軽減することができる。
【００３９】
また、この実施の形態の火災警報システムの火災受信機４０によれば、シリアルＩ／Ｆ４４から火災発報時に画像データを直接選択する画像指示信号が出力される構成なので、該火災受信機４０に市販のデジタルカメラとテレビジョンを接続することで、火災監視と連動して上述のような火災表示を行なわせることができる。
【００４０】
なお、本発明は、上記第１および第２の実施の形態の火災警報システムの表示システムに限られず、発明の主旨を逸脱しない範囲で適宜変更可能である。例えば、火災表示は、火災発報に基づき発報のあった監視地区の画像を表示させるほか、例えば、防排煙機器や消火機器の作動に基づきこの作動箇所を表示するようにしても良い。また、画像データは回線に対応させるのみならず、例えば、端末機器のアドレスに対応させても良い。また、デジタルカメラ６０は、火災受信機４０の筐体内部に収容するようにしても良く、収容することで、配線を簡略化できるとともに、システム全体をコンパクトな構成にすることが出来る。
【００４１】
【発明の効果】
以上のように、この発明の火災警報システムの表示システムによれば、火災監視に関する情報や火災警報システムの状態をさまざまな明度と色とを用いて視覚的に分り易く表示することが出来る上、受信機の制御によって画像データがダイレクトに選択される構成なので、従来原価コストを大幅に高騰させていた高機能な表示装置本体が不要となり、その分、原価コストを大幅に削減することが出来る。
また、画像データ記憶手段に記憶される画像データは、画像データを独立的に取り扱うことで、その作成、挿入又は変更を行うことが出来るので、建物毎、フロア毎に異なる多数の画像データの作成や、レイアウトの変更に伴う画像データの変更を、専門のエンジニアに頼ることなく簡単に行え、更に、ユーザーレベルでの画像データの作成および変更も可能である。
【図面の簡単な説明】
【図１】本発明の第１の実施の形態の火災警報システムの表示システムの構成を示すブロック図である。
【図２】同、表示システムで表示される監視区域の画像の一例を示す画像図で、（ａ）は実写映像を用いた画像の一例、（ｂ）はグラフィックを用いた画像の一例である。
【図３】同、表示システムで表示される火災警報システムの状態を表わす画像の一例を示す画像図である。
【図４】本発明の第２の実施の形態の火災警報システムの表示システムの全体構成を示すブロック図である。
【図５】同、火災警報システムの表示システムの受信機の構成を示すブロック図である。
【図６】メモリカードに記憶されている画像データとラベルデータとの対応関係を示すデータテーブルチャートである。
【図７】端末機器が作動した回線と受信機から出力される画像指示信号との対応関係を示すテーブルチャートである。
【図８】従来の火災警報システムの表示システムの構成を示すブロック図である。
【符号の説明】
１        火災受信機（第１の実施の形態）
３…      感知器（端末機器）
４…      感知器（端末機器）
５…      防排煙機器（端末機器）
８        表示装置（テレビ受像機）
１１      ＣＰＵ（中央演算処理手段）
１７      ＭＣインターフェース（画像データ記憶手段）
１８      メモリカード（画像データ記憶手段の記憶媒体）
２２      Ｄ／Ａ変換器（映像信号出力手段）
２３      ビデオＩ／Ｆ（映像信号出力手段のビデオ出力端子）
４０      火災受信機（第２の実施の形態）
４１      ＣＰＵ（中央演算処理手段）
４４      シリアルＩ／Ｆ（画像指示信号出力手段）
６０      画像データサーバ装置（デジタルカメラ）
６１      ＣＰＵ（表示制御装置）
６８      ＭＣインターフェース（画像データ記憶手段）
６９      メモリカード（画像データ記憶手段の記憶媒体）
７０      Ｄ／Ａ変換器（映像信号出力手段）
７１      ビデオＩ／Ｆ（映像信号出力手段のビデオ出力端子）
【図１】
0003592559.tif 000002
【図２】
0003592559.tif 000003
【図３】
0003592559.tif 000004
【図４】
0003592559.tif 000005
【図５】
0003592559.tif 000006
【図６】
0003592559.tif 000007
【図７】
0003592559.tif 000008
【図８】
0003592559.tif 000009